(57)【要約】      （修正有）【課題】工具を用いることなく、手で簡単に使用位置と退避位置に移動することができる草寄せ具を提供する。【解決手段】刈払機のハンドルシャフト１１の先端部に取り付けられて回転する刈払刃１０により切断された草を、草寄せする草寄せ具１Ａであって、草寄せ具１Ａは、ハンドルシャフト１１に取り付けられており、使用位置と退避位置との間で移動可能に支持される止め金具３と、使用位置で係止される脱着金具４１、４２が設けられている。また、草寄せ具１Ａが、刈払刃１０の中心よりも、作業者の側から見て右側又は左側に配置されており、この草寄せ具１Ａの草寄せガード５２によって受け止められた切断草は、刈払刃の上面で作業者側から見て草寄せガードよりも左側部分又は右側部分に保持されるようになっている。【選択図】図１
0003197446.tif 000002
【実用新案登録請求の範囲】
【請求項１】
刈払機のハンドルシャフトの先端部に取り付けられて回転する草刈刃により切断された草を、草寄せする草寄せ具であって、
該草寄せ具は、前記ハンドルシャフトに取り付けられており、使用位置と退避位置との間で移動可能に支持される止め金具と、前記使用位置で係止される脱着金具が設けられていることを特徴とする刈払機の草寄せ具。
【請求項２】
前記草寄せ具が、刈払刃の中心よりも、作業者の側から見て右側又は左側に配置されており、この草寄せ具の草寄せガードによって受け止められた切断草は、刈払刃の上面で作業者側から見て草寄せガードよりも左側部分又は右側部分に保持されるようになっていることを特徴とする刈払機の草寄せ具。
【請求項３】
前記草寄せ具は、アーム部と、該アーム部の基端側を回動自在に軸着する止め金具と、該アーム部の先端側を係止する脱着金具と、草寄せフレームより構成されており、
前記アーム部は、アーム本体の基端側に回転アームが固着され、
前記止め金具は、前記回転アーム部を回動自在に軸着して、前記ハンドルシャフトの基端側に固着され、
前記脱着金具は、草寄せフレームを着脱自在に係止して、前記ハンドルシャフトの先端側に固着され、
前記草寄せフレームは、前記アーム本体の先端部に固着されている、ことを特徴とする請求項１又は２に記載の刈払機の草寄せ具。
【考案の詳細な説明】
【技術分野】
【０００１】
本発明は、刈払機のハンドルシャフトに取り付けることができる刈払機の草寄せ具に係り、より詳しくは、前記ハンドルシャフトに取り付けられて、使用位置と退避位置との間で移動可能に支持される止め金具と、前記使用位置で係止する脱着金具が設けられている刈払機の草寄せ具に関するものである。
【背景技術】
【０００２】
従来、雑草等を刈り取るために様々な刈払機が使用されている。この刈払機を使用して草を刈り取るときは、前記刈払機を身体や手で保持して、回転する刈払刃を左右に振ることにより草刈り作業を行っている。しかしながら、刈払機の刈払刃を左右に振ることにより草を刈り取った際に、該刈り取られた草が飛散して乱雑に地面に散らかった状態となり、この散らかった切断草を熊手や箒で掃き集める必要があり、相当な手間と時間が掛かっていた。
【０００３】
上記問題を改善するために、草刈り機を左右に振る揺動刈り取り操作に伴って、回転する草刈り刃によって切断された草がそのまま放出されないように草寄せ具によって受け止め、受け止めた切断草を良好に寄せ集め、特に、従来では難しかった右方へ寄せ集めることを良好におこなえ、結果として左右のいずれの方向にも草寄せができて、草刈り作業効率を倍増することができる草寄せ具が開示されている（先行技術文献１参照）。
【先行技術文献】
【特許文献】
【０００４】
【特許文献１】特開２００７−１３５４４２号公報
【考案の概要】
【考案が解決しようとする課題】
【０００５】
しかしながら、特許文献１に開示された草寄せ具は、左右いずれの方向にも草寄せができるという機能を有しているが、刈り取られた草の長さが比較的長い場合や草が細い場合は、刈り取られた切断草が草寄せ具本体に巻き付き易い。そこで、このような場合には、草寄せ具を刈払機から取り外すことが行われている。
【０００６】
草寄せ具を刈払機から取り外すときは、その都度、ナットを緩めて取り外す必要があり、手間と時間が掛かっていた。また、草寄せ具を刈払機に取り付けて使用するときは、前記ナットを取付部に螺合させ、工具を用いて締め付ける必要があり、該工具を所持していないときは、草寄せ具を刈払機から着脱することができないという問題があった。
【課題を解決するための手段】
【０００７】
本考案は、上記問題点を解決するために成されたものであり、工具を用いることなく、手で簡単に使用位置と退避位置に移動することができる草寄せ具を提供することを目的としている。
【０００８】
本考案の請求項１に係る草寄せ具は、刈払機のハンドルシャフトに取り付けられており、該草寄せ具には、使用位置と退避位置との間で移動可能に支持される止め金具と、前記使用位置で係止する脱着金具が設けられていることを特徴としている。このように構成されているので、草寄せ具が不要時は、前記草寄せ具のアーム部を手で把持して、ハンドルシャフトの基端側に回動させるだけで、前記草寄せ具を草刈刃近傍から退避させることができる。草寄せ具の使用時は、前記草寄せ具のアーム部を手で把持して、ハンドルシャフトの先端側に回動させ、ハンドルシャフトに取り付けられた脱着金具に係止するだけで、前記草寄せ具を草刈刃近傍の使用位置に移動させることができる。
【０００９】
本考案の請求項２に係る草寄せ具は、前記草寄せ具が、刈払刃の中心よりも、作業者の側から見て右側又は左側に配置されており、この草寄せ具の草寄せガードによって受け止められた切断草は、刈払刃の上面で作業者側から見て草寄せガードよりも左側部分又は右側部分に保持されるようになっている。
【００１０】
このように構成されているので、作業者は作業環境に合わせて、刈払刃で切断された草を、刈払作業の進行方向の右側又は左側の、どちら側に草寄せするかを選択することが可能となり、作業効率を向上させることができる。
【００１１】
本考案の請求項３に係る草寄せ具は、アーム部と、該アーム部の基端側を回動自在に軸着する止め金具と、該アーム部の先端側を係止する脱着金具と、草寄せフレームより構成されている。前記アーム部は、アーム本体の基端側に回転アームが固着され、前記止め金具は、前記回転アーム部を回動自在に軸着して、前記ハンドルシャフトの基端側に固着されている。前記脱着金具は、草寄せフレームを着脱自在に係止して、前記ハンドルシャフトの先端側に固着されており、前記草寄せフレームは、前記アーム本体の先端部に固着されている。
【００１２】
このように構成されているので、草寄せ具が不要時は、前記草寄せ具のアーム部を手で把持して、ハンドルシャフトの基端側に回動させるだけで、前記該草寄せ具を草刈刃近傍から退避させることができる。草寄せ具の使用時は、前記草寄せ具のアーム部を手で把持して、ハンドルシャフトの先端側に回動させて、ハンドルシャフトに取り付けられた脱着金具に係止するだけで、前記該草寄せ具を草刈刃近傍の使用位置に移動させることができる。
【考案の効果】
【００１３】
本考案の草寄せ具は、刈払機のハンドルシャフトに取り付けられており、該草寄せ具には、使用位置と退避位置との間で移動可能に支持される止め金具と、前記使用位置で係止する脱着金具が設けられている。これにより、草寄せ具が不要時は、前記草寄せ具のアーム部を手で把持して、ハンドルシャフトの基端側に回動させるだけで、前記該草寄せ具を草刈刃近傍から退避させることができ、草寄せ具の使用時は、前記草寄せ具のアーム部を手で把持して、ハンドルシャフトの先端側に回動させて、ハンドルシャフトに取り付けられた脱着金具に係止するだけで、前記該草寄せ具を草刈刃近傍の使用位置に移動させることができる。また、作業者は作業環境に合わせて、刈払刃で切断された草を、刈払作業の進行方向の右側又は左側どちら側に草寄せするかを選択することが可能となり、作業効率を向上させることができる。
【図面の簡単な説明】
【００１４】
【図１】本考案の第一実施形態を示す草寄せ具の平面図である。
【図２】本考案の第一実施形態を示す草寄せ具の正面図である。
【図３】本考案の第二実施形態を示す草寄せ具の平面図である。
【図４】本考案の第二実施形態を示す草寄せ具の背面図である。
【図５】本考案の第一実施形態において草寄せ具の使用状態及び退避状態を示す説明図である。
【図６】本考案の第一実施形態を示すアーム部の正面図である。
【図７】本考案の第一実施形態を示す止め金具であり、（ａ）は正面図断面図、（ｂ）は左側面図、（ｃ）は右側面図である。
【図８】本考案の第二実施形態を示す止め金具であり、（ａ）は正面図断面図、（ｂ）は左側面図、（ｃ）は右側面図である。
【図９】本考案の第一実施形態を示す脱着金具の平面図であり、（ａ）はハンドルシャフト側脱着金具、（ｂ）はアーム本体側脱着金具である。
【図１０】本考案の第一実施形態を示す草寄せフレームであり、（ａ）は平面図、（ｂ）は正面図である。
【考案を実施するための形態】
【００１５】
以下、本考案の草寄せ具について図面を参照して詳細に説明する。図１は、本考案の第一実施形態を示す草寄せ具の平面図であり、図２はその正面図である。図１及び図２において、刈払機には、草刈り作業をする作業者が携帯することができるように、肩掛けバンド（図示しない）が備えられている。刈払刃１０は、エンジン等の駆動部（図示しない）で、ハンドルシャフト１１内部に装着された駆動軸を所定方向に回転させることにより、この刈払刃１０を高速回転させて草や芝等を刈り取ることができる。
【００１６】
刈払機のハンドルシャフト１１の先端側には、本考案の草寄せ具１Ａが取り付けられている。刈払刃１０は、図１に示すように円盤状であり、この円盤状の外周縁部に沿って複数の凸部と凹部が交互に形成されており、各凸部に超硬チップが切刃として設けられている。なお、ハンドルシャフト１１の先端側には、通常、安全カバーが取り付けられるが図示していない。
【００１７】
草寄せ具１Ａの先端に取り付けられた草寄せフレーム５は、刈払刃１０の上面と所定間隔１２を隔てて配置され、刈払刃１０の上面と略平行している。また、草寄せ具１Ａは、刈払刃１０の中心よりも、作業者の側から見て右側に配置されており、この草寄せフレーム５の草寄せガード５２によって受け止められた切断草（図示しない）は、刈払刃１０の上面で作業者側から見て草寄せガード５２よりも左側部分に保持されるようになっている。更に、草寄せガード５２は、刈払刃１０の外周縁部に沿うように屈曲形成されて、刈払刃１０の外周縁部よりも内側に配置されている。これにより、切断草が刈払刃１０の上面からこぼれ落ち難くしている。
【００１８】
図１に示す刈払刃１０の形状は実施形態の一例を示したもので、様々な形状や構造の刈払刃を用いることが可能であり、材質も金属製だけでなく合成樹脂製を使用することができる。この刈払刃１０は、その中央部に形成された挿通孔に回転軸（図示しない）が挿通されて固定されている。この回転軸に対する刈払刃１０の取り付けは、円盤状の挟持部材とボルトによって締結されている。
【００１９】
前記回転軸は、ケース１３内に軸受を介して回転自在に設けられており、該ケース１３は、ハンドルシャフト１１先端部に固定して取り付けられている。また、回転軸は、駆動軸を介して駆動部（例えばエンジン）の出力回転軸と連結している。前記駆動部は、通常、ハンドルシャフト１１の基端に設けられている。
【００２０】
草寄せ具１Ａは、図１及び図２に示すように使用位置に揺動させた状態で、刈払刃１０の上方に配置され、該刈払刃１０によって刈り取られた切断草を受け止めることができ、刈払機を左右に揺動させる作業者の刈取り操作により、切断草を所望の場所に振り落として寄せ集めることができる。この草寄せ具１Ａは、アーム部２と、該アーム部２の基端側を回動自在に軸着する止め金具３と、該アーム部２の先端側を係止する脱着金具４１、４２と、草寄せフレーム５より構成されている。
【００２１】
図３は、本考案の第二実施形態を示す草寄せ具１Ｃの平面図であり、図４はその背面図である。図１及び図２に示す第一実施形態との相違点は、第一実施形態は草寄せ具１Ａが、刈払刃１０の中心よりも、作業者の側から見て右側に配置されているのに対し、第二実施形態の草寄せ具１Ｃは、刈払刃１０の中心よりも、作業者の側から見て左側に配置されている点において相違している。なお、その構成部品及び形状は略同一であるため、詳細な説明は省略する。
【００２２】
図５は、本考案の第一実施形態における草寄せ具の使用状態及び退避状態を示す説明図である。図５において、１Ａは使用状態の草寄せ具、１Ｂは退避状態の草寄せ具であり、アーム部２の基端側が止め金具３に回動自在に軸着されている。また、ハンドルシャフト１１及びアーム本体２１には脱着金具４１、４２が夫々取り付けられているので、前記草寄せ具１Ａ、１Ｂは前記止め金具３を支点として１８０°回動させて、使用状態位置及び退避状態位置に安定して保持することができる。
【００２３】
図５において、草寄せ具１Ａは、使用位置に揺動移動している状態であり、ハンドルシャフト１１に取り付けられたハンドルシャフト側脱着金具４１にアーム本体２１が係止されるとともに、ア−ム本体２１に取り付けられたアーム本体側脱着金具４２にハンドルシャフト１１が係止されて、草寄せ具１Ａは使用位置に安定して保持されている。一方、草寄せ具１Ｂは、退避位置に揺動移動している状態であり、ハンドルシャフト１１に取り付けられたハンドルシャフト側脱着金具４１にアーム本体２１が係止されるとともに、ア−ム本体２１に取り付けられたアーム本体側脱着金具４２の背面がハンドルシャフト１１に当接し、草寄せ具１Ｂは退避位置に安定して保持されている。
【００２４】
図１及び図２に示す第一実施形態の草寄せ具１Ａを使用して草を刈り取るときは、高速回転する刈払刃１０を左右に振ることによって、簡単に草刈り作業を行うことができる。そして、刈払刃１０によって刈り取られた切断草は、刈払刃１０の上面に保持されてこの刈払刃１０に伴って同方向に回転するので、この回転移動する切断草を草寄せガード５２によって受け止めることができる。この受け止められた切断草は、刈払刃１０の中心よりも、作業者の側から見て左側に振り落として寄せて集めることができる。これにより、草刈り作業と切断草の寄せ集め作業とを同時に行うことができる。
【００２５】
図３及び図４に示す第二実施形態の草寄せ具１Ｃを使用して草を刈り取るときは、高速回転する刈払刃１０を左右に振ることによって、簡単に草刈り作業を行うことができる。そして、刈払刃１０によって刈り取られた切断草は、刈払刃１０の上面に保持されてこの刈払刃１０に伴って同方向に回転するので、この回転移動する切断草を草寄せガード５２によって受け止めることができる。この受け止められた切断草は、刈払刃１０の中心よりも、作業者の側から見て右側に振り落として寄せて集めることができる。これにより、草刈り作業と切断草の寄せ集め作業とを同時に行うことができる。
【００２６】
図６に示すように、アーム部２は、アーム本体２１の基端側に回転アーム２２がボルト及びナットで固着されている。前記アーム本体２１は金属製（例えば、ＳＳ４００）の中空パイプであり、両端部に夫々２個のボルト孔２３が穿設されている。前記回転アーム２２は樹脂製（例えば、ガラス３０％ナイロン樹脂）で略ヘ字形に成形されており、円柱状の端部は、前記アーム本体２１の一端に挿入されてボルト及びナットで締結されており、楕円形の端部は後述する止め金具３に回動可能にボルト及びナットで軸支されている。このアーム部２は、後述する止め金具３によりハンドルシャフト１１に対して略平行に取り付けられている。なお、この回転アーム２２とアーム本体２１は、ダイカストで一体成形してもよい。
【００２７】
図７に示すように、第一実施形態の止め金具３は、２分割された止め金具Ａ３１と止め金具Ｂ３２を前記ハンドルシャフト１１の所定位置に、ハンドルシャフト１１の外筒を抱持してボルト及びナットで締結されている。前記止め金具Ａ３１は前記アーム部２が取り付けられる側であり、図７（ａ）に示すボス４３に穿孔されたボルト孔４４にボルト及びナットを用いて前記回転アームが回動可能に軸支されている。
【００２８】
図８に示すように、第二実施形態の止め金具３ａは、２分割された止め金具Ａ３１と止め金具Ｃ３３を前記ハンドルシャフト１１の所定位置に、ハンドルシャフト１１の外筒を抱持してボルト及びナットで締結されている。前記止め金具Ａ３１及びＣ３３は前記アーム部２が取り付けられるように、ボス４３に穿孔されたボルト孔４４にボルト及びナットを用いて前記回転アーム２２が回動可能に軸支されている。このように構成すると、作業環境に合わせて、前記草寄せ具を、刈払刃１０の中心よりも、作業者の側から見て右側又は左側のいずれかに取り付けすることができる。
【００２９】
図９に示すように、脱着金具は、金属製（例えば、ＳＳ４００）の平板で形成されている。（ａ）はハンドルシャフト側脱着金具４１であり、ハンドルシャフト１１の外筒にボルト及びナットで締結するリング部分から延設され、両端が開口してアーム本体２１が着脱できるように可撓性を有して形成されている。（ｂ）はアーム本体側脱着金具４２であり、アーム本体２１の外周にボルト及びナットで締結するリング部分から延設され、両端が開口してハンドルシャフト１１が着脱できるように可撓性を有して形成されている。
【００３０】
図１０に示すように、草寄せフレーム５は金属製（例えば、ＳＳ４００）であり、アーム５１と草寄せガード５２及び前記アーム５１と草寄せガード５２を接続する接続具５３より構成されている。前記アーム５１は段付細径部を有する円筒体であり、３次元的にヘ字状に屈曲して形成されている。前記段付細径部は、前記アーム本体２１の先端部に挿入されてボルト及びナットで締結されている。前記草寄せガード５２は、平板を曲面状に屈曲させたものを立設させている。前記接続具５３は、一端を前記アーム５１に挿入してボルト及びナットで締結されており、他端は前記草寄せガード５２の側面に４本のボルト及びナットで締結されている。
【産業上の利用可能性】
【００３１】
本考案に係る刈払機の草寄せ具は、刈払機のハンドルシャフトに取り付けが可能であり、前記草寄せ具を使用するとき及び使用しないときに応じて、手で使用位置及び退避位置に簡単に移動させて固定することができるので、殆どの刈払機に広く適用することができる。
【符号の説明】
【００３２】
１Ａ、１Ｂ、１Ｃ  草寄せ具
２  アーム部
２１  アーム本体
２２  回転アーム
２３  ボルト孔
３、３ａ  止め金具
３１  止め金具Ａ
３２  止め金具Ｂ
３３  止め金具Ｃ
４１  ハンドルシャフト側脱着金具
４２  アーム本体側脱着金具
４３  ボス
４４  ボルト孔
５  草寄せフレーム
５１  アーム
５２  草寄せガード
５３  接続具
【図１】
0003197446.tif 000003
【図２】
0003197446.tif 000004
【図３】
0003197446.tif 000005
【図４】
0003197446.tif 000006
【図５】
0003197446.tif 000007
【図６】
0003197446.tif 000008
【図７】
0003197446.tif 000009
【図８】
0003197446.tif 000010
【図９】
0003197446.tif 000011
【図１０】
0003197446.tif 000012
【手続補正書】
【提出日】平成27年3月6日(2015.3.6)
【手続補正１】
【補正対象書類名】実用新案登録請求の範囲
【補正対象項目名】全文
【補正方法】変更
【補正の内容】
【実用新案登録請求の範囲】
【請求項１】
刈払機のハンドルシャフトの先端部に取り付けられて回転する刈払刃により切断された草を、草寄せする草寄せ具であって、
該草寄せ具は、前記ハンドルシャフトに取り付けられており、使用位置と退避位置との間で移動可能に支持される止め金具と、前記使用位置で係止される脱着金具が設けられていることを特徴とする刈払機の草寄せ具。
【請求項２】
前記草寄せ具が、刈払刃の中心よりも、作業者の側から見て右側又は左側に配置されており、この草寄せ具の草寄せガードによって受け止められた切断草は、刈払刃の上面で作業者側から見て草寄せガードよりも左側部分又は右側部分に保持されるようになっていることを特徴とする請求項１に記載の刈払機の草寄せ具。
【請求項３】
前記草寄せ具は、アーム部と、該アーム部の基端側を回動自在に軸着する止め金具と、該アーム部の先端側を係止する脱着金具と、草寄せフレームより構成されており、
前記アーム部は、アーム本体の基端側に回転アームが固着され、
前記止め金具は、前記回転アーム部を回動自在に軸着して、前記ハンドルシャフトの基端側に固着され、
前記脱着金具は、草寄せフレームを着脱自在に係止して、前記ハンドルシャフトの先端側に固着され、
前記草寄せフレームは、前記アーム本体の先端部に固着されている、ことを特徴とする請求項１又は２に記載の刈払機の草寄せ具。
【手続補正２】
【補正対象書類名】明細書
【補正対象項目名】０００３
【補正方法】変更
【補正の内容】
【０００３】
上記問題を改善するために、草刈り機を左右に振る揺動刈り取り操作に伴って、回転する刈払刃によって切断された草がそのまま放出されないように草寄せ具によって受け止め、受け止めた切断草を良好に寄せ集め、特に、従来では難しかった右方へ寄せ集めることを良好におこなえ、結果として左右のいずれの方向にも草寄せができて、草刈り作業効率を倍増することができる草寄せ具が開示されている（先行技術文献１参照）。
【手続補正３】
【補正対象書類名】明細書
【補正対象項目名】０００８
【補正方法】変更
【補正の内容】
【０００８】
本考案の請求項１に係る草寄せ具は、刈払機のハンドルシャフトに取り付けられており、該草寄せ具には、使用位置と退避位置との間で移動可能に支持される止め金具と、前記使用位置で係止する脱着金具が設けられていることを特徴としている。このように構成されているので、草寄せ具が不要時は、前記草寄せ具のアーム部を手で把持して、ハンドルシャフトの基端側に回動させるだけで、前記草寄せ具を刈払刃近傍から退避させることができる。草寄せ具の使用時は、前記草寄せ具のアーム部を手で把持して、ハンドルシャフトの先端側に回動させ、ハンドルシャフトに取り付けられた脱着金具に係止するだけで、前記草寄せ具を刈払刃近傍の使用位置に移動させることができる。
【手続補正４】
【補正対象書類名】明細書
【補正対象項目名】００１２
【補正方法】変更
【補正の内容】
【００１２】
このように構成されているので、草寄せ具が不要時は、前記草寄せ具のアーム部を手で把持して、ハンドルシャフトの基端側に回動させるだけで、前記該草寄せ具を刈払刃近傍から退避させることができる。草寄せ具の使用時は、前記草寄せ具のアーム部を手で把持して、ハンドルシャフトの先端側に回動させて、ハンドルシャフトに取り付けられた脱着金具に係止するだけで、前記該草寄せ具を草刈刃近傍の使用位置に移動させることができる。
【手続補正５】
【補正対象書類名】明細書
【補正対象項目名】００１３
【補正方法】変更
【補正の内容】
【００１３】
本考案の草寄せ具は、刈払機のハンドルシャフトに取り付けられており、該草寄せ具には、使用位置と退避位置との間で移動可能に支持される止め金具と、前記使用位置で係止する脱着金具が設けられている。これにより、草寄せ具が不要時は、前記草寄せ具のアーム部を手で把持して、ハンドルシャフトの基端側に回動させるだけで、前記該草寄せ具を刈払刃近傍から退避させることができ、草寄せ具の使用時は、前記草寄せ具のアーム部を手で把持して、ハンドルシャフトの先端側に回動させて、ハンドルシャフトに取り付けられた脱着金具に係止するだけで、前記該草寄せ具を刈払刃近傍の使用位置に移動させることができる。また、作業者は作業環境に合わせて、刈払刃で切断された草を、刈払作業の進行方向の右側又は左側どちら側に草寄せするかを選択することが可能となり、作業効率を向上させることができる。